(57)【要約】  本発明では、マルチメディアブロードキャスト・マルチキャストＭＢＭＳサービスにおける時間分割多重化の実現方法が開示されており、以下を含み：ＭＢＭＳサービスはポイントーツーマルチポイントベアラー方式を利用し且つ時間分割多重化により、チャンネルリソースを共有してサービスを伝送する時に、ネットワーク側は、ＭＢＭＳサービスの配置情報をユーザデバイスに通知して、配置情報を満たしているチャンネルリソースにおいて、ＭＢＭＳサービスを送信し、当該配置情報は、時間分割多重化重複周期情報と、１つの時間分割多重化周期内における占用するチャンネルリソースの位置と占用するチャンネルリソースの数の情報とを含み、ユーザデバイスは、配置情報を受信した後、指示されたチャンネルリソースにおいてＭＢＭＳサービスを受信する。
2010529761.tif 000002
【特許請求の範囲】
【請求項１】
マルチメディアブロードキャスト・マルチキャストＭＢＭＳサービス時間分割多重化の実現方法であって、
ＭＢＭＳサービスはポイントーツーマルチポイントベアラー方式を利用し且つ時間分割多重化により、チャンネルリソースを共有してサービスを伝送する時に、ネットワーク側は、前記ＭＢＭＳサービスの配置情報をユーザデバイスに通知して、前記配置情報を満たしているチャンネルリソースにおいて、前記ＭＢＭＳサービスを送信し、当該配置情報は、時間分割多重化重複周期情報と、１つの時間分割多重化周期内における占用するチャンネルリソースの位置と占用するチャンネルリソースの数の情報とを含み、
前記ユーザデバイスは、前記配置情報を受信した後、指示されたチャンネルリソースにおいて前記ＭＢＭＳサービスを受信することを含むことを特徴とする実現方法。
【請求項２】
前記占用するチャンネルリソースの位置情報とは、前記ＭＢＭＳサービスが１つの時間分割多重化周期内において占用するチャンネルリソースの伝送時間間隔のオフセット情報であり、前記占用するチャンネル数情報とは、前記ＭＢＭＳサービスが１つの重複周期内において占用するチャンネルリソースの伝送時間間隔数或いはシステムフレーム数であることを特徴とする請求項１に記載の実現方法。
【請求項３】
前記リソース占用数情報は時間分割多重化重複長さ情報であり、１つの時間分割多重化周期内において、１つのＭＢＭＳサービスが、占用するリソース位置情報を示す初期オフセット時間ＴＤＭ  Ｏｆｆｓｅｔに対応する伝送時間間隔から、連続に占用するチャンネルリソースの伝送時間間隔数で示され、或いは、ＴＤＭ  Ｏｆｆｓｅｔに対応するシステムフレームから、連続に占用するチャンネルリソースのシステムフレーム数で示されることを特徴とする請求項２に記載の実現方法。
【請求項４】
ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ＋ｉ，ｉ＝０  ｔｏ  ＴＤＭ＿Ｌｅｎｇｔｈ−１
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、前記重複周期の長さ情報であり、
―ＴＤＭ＿Ｏｆｆｓｅｔは、前記初期オフセット時間であり、即ち、前記ＭＢＭＳサービスが１つの重複周期内において占用するリソースの位置情報であり、
―ＴＤＭ＿Ｌｅｎｇｔｈは、前記ＭＢＭＳサービスが１つの重複周期内において連続に占用する伝送時間間隔の数情報であり、即ち、前記ＭＢＭＳサービスが占用するチャンネルリソースの数情報であることを特徴とする請求項３に記載の実現方法。
【請求項５】
前記占用するリソース位置情報と数情報は、１グループの時間分割多重化オフセットビットマップＴＤＭ  Ｏｆｆｓｅｔ  Ｂｉｔｍａｐで示され、前記ＴＤＭ  Ｏｆｆｓｅｔ  Ｂｉｔｍａｐの１つのビットは、１つの時間分割多重化重複周期内における１つの伝送時間間隔に対応し、当該ビットの値は、前記ＭＢＭＳサービスがそれに対応する伝送時間間隔を占用しているか否かを示し、当該ビットの前記ビットマップにおける位置は、それに対応する伝送時間間隔の重複周期内における初期オフセット時間ＴＤＭ  Ｏｆｆｓｅｔと１対１対応であることを特徴とする請求項２に記載の実現方法。
【請求項６】
ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、重複周期の長さ情報であり、
―ＴＤＭ＿Ｏｆｆｓｅｔ，ｉは、１つの重複周期内における前記ＭＢＭＳサービスが占用するｉ個目のＴＴＩのオフセット値であり、ｉの値は、ＴＤＭ  Ｏｆｆｓｅｔ  Ｂｉｔｍａｐにおいて占用状態を示す値に設置されたビット位の位置で決められることを特徴とする請求項５に記載の実現方法。
【請求項７】
前記占用するリソース位置情報と数情報は、１つの時間分割多重化オフセットのリストで示され、当該リストは、１つ或いは複数の時間分割多重化オフセットのテーブルエントリを含み、前記ＭＢＭＳサービスは、１つの時間分割多重化重複周期内において、当該リストにおける全てのテーブルエントリなかの値に対応する伝送時間間隔を占用することを特徴とする請求項２に記載の実現方法。
【請求項８】
ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、重複周期の長さ情報であり、
―ＴＤＭ＿Ｏｆｆｓｅｔ，ｉは、前記ＭＢＭＳサービスの時間分割多重化オフセットリストにおけるｉ個目のテーブルエントリの値を示すことを特徴とする請求項７に記載の実現方法。
【請求項９】
前記占用するチャンネル数情報は、デフォルト状況で、１つの時間分割多重化周期内において１つのＭＢＭＳサービスが占用するチャンネルリソースの時間は１つの伝送時間間隔であることを示すことを特徴とする請求項２に記載の実現方法。
【請求項１０】
前記配置情報は、ＭＢＭＳのポイントツーマルチポイント制御チャンネルのＭＢＭＳ現在セルのポイントツーマルチポイント無線ベアラー情報メッセージ、或いはＭＢＭＳ共用ポイントツーマルチポイント無線ベアラー情報メッセージ、或いはＭＢＭＳ一般情報メッセージにおけるＭＢＭＳシングル周波数網時間分割多重化情報リストシグナリングセル、即ちＭＢＳＦＮ  ＴＤＭ  Ｉｎｆｏ  Ｌｉｓｔにより、前記ユーザデバイスに送信されたものであることを特徴とする請求項１〜９のいずれか１つに記載の実現方法。
【請求項１１】
複数のＭＢＭＳサービスに対しチャンネルリソースを時間分割多重化の場合、１つの時間分割多重化重複周期内において、伝送レートの高いＭＢＭＳサービスが占用するチャンネルリソースは、レートの低いサービスが占用するチャンネルリソースより多いか或いは同じであることを特徴とする請求項１〜９のいずれか１つに記載の実現方法。
【請求項１２】
マルチメディアブロードキャスト・マルチキャストＭＢＭＳサービスにおける時間分割多重化情報の伝送方法であって、ネットワーク側は、ポイントーツーマルチポイントベアラー方式を利用し且つ時間分割多重化により、チャンネルリソースを共有してＭＢＭＳサービスを伝送する時に、ユーザデバイスに送信される前記ＭＢＭＳサービスの配置情報は、時間分割多重化重複周期情報と、１つの時間分割多重化周期内における占用するチャンネルリソースの位置情報と、１つの時間分割周期内における占用するチャンネルリソースの数の情報とを含むことを特徴とする伝送方法。
【請求項１３】
前記ネットワーク側の無線ネットワークコントローラは、ＭＢＭＳのポイントーツーマルチポイント制御チャンネルのチャンネルメッセージにより、前記ＭＢＭＳサービスの配置情報をユーザデバイスに通知することを特徴とする請求項１２に記載の伝送方法。
【請求項１４】
前記ユーザデバイスは、前記配置情報を受信した後に、指示されたチャンネルリソースにおいて前記ＭＢＭＳサービスを受信することを特徴とする請求項１３に記載の伝送方法。
【請求項１５】
前記配置情報におけるリソース占用数情報とリソース占用位置情報の表現方式は、以下のいくつの方式のうちの１つであり、
前記占用するリソース位置情報は、初期オフセット時間ＴＤＭ  Ｏｆｆｓｅｔで示され、前記リソース占用する数情報は、時間分割多重化重複長さで示され、即ち、１つの時間分割多重化周期内において、１つのＭＢＭＳサービスが、ＴＤＭ  Ｏｆｆｓｅｔに対応する伝送時間間隔から、連続に占用するチャンネルリソースの伝送時間間隔数で示され、或いは、ＴＤＭ  Ｏｆｆｓｅｔに対応するシステムフレームから、連続に占用するチャンネルリソースのシステムフレーム数で示され、
前記占用するリソース位置情報と数情報は、１グループの時間分割多重化オフセットビットマップＴＤＭ  Ｏｆｆｓｅｔ  Ｂｉｔｍａｐで示され、前記ＴＤＭ  Ｏｆｆｓｅｔ  Ｂｉｔｍａｐの１つのビットは、１つの時間分割多重化重複周期内における１つの伝送時間間隔に対応し、当該ビットの値は、前記ＭＢＭＳサービスがそれに対応する伝送時間間隔を占用しているか否かを示し、当該ビットの前記ビットマップにおける位置は、それに対応する伝送時間間隔の重複周期内における初期オフセット時間ＴＤＭ  Ｏｆｆｓｅｔと１対１対応であり、
前記占用するリソース位置情報と数情報は、１つの時間分割多重化オフセットのリストで示され、当該リストは、１つ或いは複数の時間分割多重化オフセットのテーブルエントリを含み、前記ＭＢＭＳサービスは、１つの時間分割多重化重複周期内において、当該リストにおける全てのテーブルエントリなかの値に対応する伝送時間間隔を占用することを特徴とする請求項１２或いは１３に記載の伝送方法。
【発明の詳細な説明】
【技術分野】
【０００１】
本発明は、第３世代移動通信（３Ｇ）システムに関し、特に、第3世代移動通信（３Ｇ）システムにおけるマルチメディアブロードキャスト・マルチキャストサービス時間分割多重化の実現方法に関する。
【背景技術】
【０００２】
インターネットの速い発展と大画面多機能携帯電話の普及に従い、大量の移動データマルチメディアサービスが湧き出し、ビデオ会議や、テレビブロードキャスト、ビデオリクエスト（Video On Demand）、コマーシャル、ネットワーク教育、インタラクティブゲーム等の、バンド幅の大きい各種のマルチメディアサービスが出現しつつある。これは、移動ユーザの向上しているサービス要求を満たすと共に、移動オペレーターに対し新たなサービス増長点を提供した。これらの移動マルチメディアサービスは、複数のユーザが同じデータを同時に受信可能であることを要求し、一般的なデータに比べると、データ量が多いことや、継続時間が長いことや、時間遅延に対し敏感である等の特徴を備えている。
【０００３】
移動ネットワークリソースを効率的に利用するために、第3世代パートナーシッププロジェクト（３ｒｄ Ｇｅｎｅｒａｔｉｏｎ Ｐａｒｔｎｅｒｓｈｉｐ Ｐｒｏｊｅｃｔ、３ＧＰＰと略称する）は、マルチメディアブロードキャストとマルチキャストサービス（Ｍｕｌｔｉｍｅｄｉａ  Ｂｒｏａｄｃａｓｔ  Multicast Ｓｅｒｖｉｃｅ、ＭＢＭＳと略称する）を提案し、当該サービスは、１つのデータソースから複数の目標に対しデータを伝送する技術であり、これにより、ネットワーク（コアー網とアクセス網を含む）リソースの共有を実現し、ネットワークリソース（特にエアーインターフェースリソース）の利用率を向上させる。３ＧＰＰの定義したＭＢＭＳは、純粋なテキストの低いレートのメッセージ類マルチキャストとブロードキャストを実現することができると共に、高速マルチメディアサービスのブロードキャストとマルチキャストを実現し、多種の豊富なビデオや、オーディオ、マルチメディアサービスを提供することができる。これは、将来の移動データ発展の方向に従い、３Ｇの発展に対し、よりよいサービス展開を提供することに違いない。
【０００４】
ＭＢＭＳサービス無線ベアラーの配置は、Ｐ−Ｔ−Ｍ（ポイントツーマルチポイント、ＰＴＭ或いはｐｔｍと略称してもよい）とＰ−Ｔ−Ｐ（ポイントツーポイント、ＰＴＰ或いはｐｔｐと略称してもよい）というベアラータイプを利用することができる。
【０００５】
ＭＢＭＳサービスのＰＴＭ方式は、共用論理チャンネルＭＴＣＨ（ＭＢＭＳ  ＰＴＭ  Ｔｒａｆｆｉｃ  Ｃｈａｎｎｅｌ、ＭＢＭＳポイントツーマルチポイントサービスチャンネル）を使用して、マルチキャストサービスに加入し或いはブロードキャストサービスに興味を持つユーザデバイスＵＥの全てに対し、データを送信する。ここで、ＵＥとは、広い範囲で意味を取るものであり、他の無線通信システムにおける移動基地局（ＭＳ）などの各種の無線端末を含む。ＭＴＣＨ論理チャンネルは、伝送チャンネルＦＡＣＨ（Ｆｏｒｗａｒｄ  Ａｃｃｅｓｓ  Ｃｈａｎｎｅｌ、前方アクセスチャンネル）にマッピングされ、物理チャンネルＳｅｃｏｎｄａｒｙ  ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ、セカンダリー共用制御物理チャンネル、ＳＣＣＰＣＨと略称する）を経由し、無線インターフェースにおいて送信する。システム側ＲＮＣ（無線ネットワークコントローラ）は、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ、ＭＢＭＳポイントツーマルチポイント制御チャンネル）チャンネルによって、ＭＢＭＳサービス配置に関する物理チャンネル等の配置情報をＵＥに通知する。
【０００６】
ＭＣＣＨにおいて送信されるＭＢＭＳ関連メッセージは、ＭＢＭＳ  Ａｃｃｅｓｓ  Ｉｎｆｏｒｍａｔｉｏｎ（ＭＢＭＳアクセス情報）や、ＭＢＭＳ  Ｃｏｍｍｏｎ  ｐ−ｔ−ｍ  ｒｂ  Ｉｎｆｏｒｍａｔｉｏｎ（ＭＢＭＳ共用ポイントツーマルチポイント無線ベアラー情報）や、ＭＢＭＳ  Ｃｕｒｒｅｎｔ  Ｃｅｌｌ  ｐ−ｔ−ｍ ｒｂ  Ｉｎｆｏｒｍａｔｉｏｎ（ＭＢＭＳ現在セルポイントツーマルチポイント無線ベアラー情報）や、ＭＢＭＳ  Ｇｅｎｅｒａｌ  Ｉｎｆｏｒｍａｔｉｏｎ（ＭＢＭＳ一般情報）や、ＭＢＭＳ  Ｍｏｄｉｆｉｅｄ  ｓｅｒｖｉｃｅｓ  Ｉｎｆｏｒｍａｔｉｏｎ（ＭＢＭＳ補正サービス情報）や、ＭＢＭＳ  Ｕｎｍｏｄｉｆｉｅｄ  ｓｅｒｖｉｃｅｓ  Ｉｎｆｏｒｍａｔｉｏｎ（ＭＢＭＳ未補正サービス情報）等を含む。
【０００７】
従来のＭＢＭＳプロトコルにおいて、ＰＴＭ送信方式における、時間分割多重化により物理チャンネルリソースを共有する方法が定義された。当該方法では、複数のサービスは、異なる論理チャンネルＭＴＣＨにマッピングされ、異なる論理チャンネルは、同じ或いは異なる伝送チャンネルＦＡＣＨにマッピングされる。異なる伝送チャンネルは、同じ或いは異なる物理チャンネルＳＣＣＰＣＨにマッピングされる。当該方法は、サービス毎に１グループのシグナリングセルを定義し、当該グループのシグナリングセルは、当該サービスがチャンネルを占用する時間を定義する。共有チャンネルリソースの異なるサービスは、時間分割多重化により、チャンネルリソースを共有する。ここで、共有とは、複数の論理チャンネルが同一の伝送チャンネルにマッピングされることであってもよく、或いは、複数の伝送チャンネルが同一の物理チャンネルにマッピングされることであってもよい。前記２つの方式では、異なるサービス（論理チャンネル）は、異なる時間において送信され、同一の時刻では、１つのサービスのみが送信される。ＵＥは、異なる時間において、異なるサービスを受信する。
【０００８】
前記時間分割多重化方式は、ＭＢＭＳ  Ｃｕｒｒｅｎｔ  Ｃｅｌｌ  Ｐ−ｔ−ｍ  ｒｂ  ＩｎｆｏｒｍａｔｉｏｎメッセージのＭＢＳＦＮ  ＴＤＭ  Ｉｎｆｏ  Ｌｉｓｔシグナリングセルに表現される。前記シグナリングセルにおいて、時間分割多重化されたＭＢＭＳサービス毎について、以下のパラメーターを定義した。
【０００９】
ＴＤＭ  Ｒｅｐ：当該パラメーターは、重複周期と定義され、重複周期に含まれるＴＴＩの数として示される。異なるサービスは、異なる重複周期長さを配置することができ、このパラメーターは、比較的に固定に配置され、即ち、サービス毎のＴＤＭ  Ｒｅｑパラメーターにより配置される。サービス毎は、１つの重複周期内に一定の時間のリソースを占用する。異なる重複周期において、リソース割当状況が一致である。
【００１０】
ＴＤＭ  Ｏｆｆｓｅｔ：当該パラメーターは、１つのＭＢＭＳサービスが１つの重複周期にチャンネルリソースを占用する初期オフセット時間に定義される。
【００１１】
１つのＭＢＭＳサービスの占用するチャンネルリソースは、以下のように定義される。
【００１２】
（ＣＦＮ  ｄｉｖ  Ｎ）ｍｏｄ  ＴＤＭ＿Ｒｅｐ＝ＴＤＭ＿Ｏｆｆｓｅｔ
ただし、Ｎは１つのＴＴＩに含まれるシステムフレーム（例えば１０ｍｓフレーム）の数であり、前記ＴＴＩ（伝送時間間隔、Ｔｒａｎｓｍｉｓｓｉｏｎ  Ｔｉｍｅ  Ｉｎｔｅｒｖａｌ）は、サービス論理チャンネルＭＴＣＨがマッピングされる伝送チャンネルＦＡＣＨの伝送時間間隔であり、当該値はシステムフレームの時間長さの整数倍である。ＣＦＮは、システムフレームの接続フレーム番号（Ｃｏｎｎｅｃｔｉｏｎ  Ｆｒａｍｅ  Ｎｕｍｂｅｒ）であり、ＦＡＣＨチャンネルに伝送される１０ｍｓフレーム毎は１つのＣＦＮを有し、ＣＦＮの値の範囲は、０〜２５５であると定義される。（ＣＦＮ  ｄｉｖ  Ｎ）は、整除数式であり、切捨てる（round down）ことを示す。前記システムフレーム（ｆｒａｍｅｓ）は、無線フレームと呼ばれてもよい。
【００１３】
従来のプロトコルは、ある状況において、リソース割当が困難であることになる。
【発明の概要】
【００１４】
本発明が解決しようとする技術課題は、マルチメディアブロードキャスト・マルチキャストサービス時間分割多重化の実現方法を提供し、リソース割当の効率及び柔軟性をいかに向上させるという問題を解決することである。
【００１５】
前記課題を解決するために、本発明は、マルチメディアブロードキャスト・マルチキャストサービスＭＢＭＳ時間分割多重化の実現方法を提供し、
ＭＢＭＳサービスはポイントーツーマルチポイントベアラー方式を利用し且つ時間分割多重化により、チャンネルリソースを共有してサービスを伝送する時に、ネットワーク側は、ＭＢＭＳサービスの配置情報をユーザデバイスに通知して、前記配置情報を満たしているチャンネルリソースにおいて、前記ＭＢＭＳサービスを送信し、当該配置情報は、時間分割多重化重複周期情報と、１つの時間分割多重化周期内における占用するチャンネルリソースの位置と占用するチャンネルリソースの数の情報とを含み、
前記ユーザデバイスは、前記配置情報を受信した後、指示されたチャンネルリソースにおいて前記ＭＢＭＳサービスを受信することを含む。
【００１６】
ここで、前記占用するチャンネルリソースの位置情報とは、前記ＭＢＭＳサービスが１つの時間分割多重化周期内において占用するチャンネルリソースの伝送時間間隔のオフセット情報であり、前記占用するチャンネル数情報とは、前記ＭＢＭＳサービスが１つの重複周期内において占用するチャンネルリソースの伝送時間間隔数或いはシステムフレーム数である。
【００１７】
ここで、前記リソース占用する数情報は時間分割多重化重複長さ情報であり、１つの時間分割多重化周期内において、１つのＭＢＭＳサービスが、占用するリソース位置情報を示す初期オフセット時間ＴＤＭ  Ｏｆｆｓｅｔに対応する伝送時間間隔から、連続に占用するチャンネルリソースの伝送時間間隔数で示され、或いは、ＴＤＭ  Ｏｆｆｓｅｔに対応するシステムフレームから、連続に占用するチャンネルリソースのシステムフレーム数で示される。
【００１８】
ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ＋ｉ，ｉ＝０  ｔｏ  ＴＤＭ＿Ｌｅｎｇｔｈ−１
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、前記重複周期の長さ情報であり、
―ＴＤＭ＿Ｏｆｆｓｅｔは、前記初期オフセット時間であり、即ち、前記ＭＢＭＳサービスが１つの重複周期内において占用するリソースの位置情報であり、
―ＴＤＭ＿Ｌｅｎｇｔｈは、前記ＭＢＭＳサービスが１つの重複周期内において連続に占用する伝送時間間隔の数情報であり、即ち、前記ＭＢＭＳサービスが占用するチャンネルリソースの数情報であることを特徴とする。
【００１９】
ここで、前記占用するリソース位置情報と数情報は、１グループの時間分割多重化オフセットビットマップＴＤＭ  Ｏｆｆｓｅｔ  Ｂｉｔｍａｐで示され、前記ＴＤＭ  Ｏｆｆｓｅｔ  Ｂｉｔｍａｐの１つのビットは、１つの時間分割多重化重複周期内における１つの伝送時間間隔に対応し、当該ビットの値は、前記ＭＢＭＳサービスがそれに対応する伝送時間間隔を占用しているか否かを示し、当該ビットの前記ビットマップにおける位置は、それに対応する伝送時間間隔の重複周期内における初期オフセット時間ＴＤＭ  Ｏｆｆｓｅｔと１対１対応である。
【００２０】
ここで、ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、重複周期の長さ情報であり、
―ＴＤＭ＿Ｏｆｆｓｅｔ，ｉは、１つの重複周期内における前記ＭＢＭＳサービスが占用するｉ個目のＴＴＩのオフセット値であり、ｉの値は、ＴＤＭ  Ｏｆｆｓｅｔ  Ｂｉｔｍａｐにおいて占用状態を示す値に設置されたビット位の位置で決められる。
【００２１】
ここで、前記占用するリソース位置情報と数情報は、１つの時間分割多重化オフセットのリストで示され、当該リストは、１つ或いは複数の時間分割多重化オフセットのテーブルエントリを含み、前記ＭＢＭＳサービスは、１つの時間分割多重化重複周期内において、当該リストにおける全てのテーブルエントリなかの値に対応する伝送時間間隔を占用する。
【００２２】
ここで、ネットワーク側は、前記配置情報を満たしているチャンネルリソースにおいて前記ＭＢＭＳサービスを送信する時に、以下の式で、ＭＢＭＳサービスを対応するシステムフレームにスケジューリングし、これに対し、前記ユーザデバイスも、以下の式を満たしているシステムフレームにおいて、前記ＭＢＭＳサービスを受信し、
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、
―ＣＦＮは、システムフレームの接続フレーム番号であり、
―Ｎは、ＭＢＭＳサービスをベアラーする伝送チャンネルの伝送時間間隔の長さであり、即ち、１つの伝送時間間隔に含まれるシステムフレームの数であり、
―（ＣＦＮ  ｄｉｖ  Ｎ）は、整除数式であり、切捨てることを示し、
―ＴＤＭ＿Ｒｅｐは、重複周期の長さ情報であり、
―ＴＤＭ＿Ｏｆｆｓｅｔ，ｉは、前記ＭＢＭＳサービスの時間分割多重化オフセットリストにおけるｉ個目のテーブルエントリの値を示す。
【００２３】
ここで、前記占用するチャンネル数情報は、デフォルト状況で、１つの時間分割多重化周期内において１つのＭＢＭＳサービスが占用するチャンネルリソースの時間は１つの伝送時間間隔であることを示す。
【００２４】
ここで、前記配置情報は、ＭＢＭＳポイントツーマルチポイント制御チャンネルのＭＢＭＳ現在セルのポイントツーマルチポイント無線ベアラー情報メッセージ、或いはＭＢＭＳ共用ポイントツーマルチポイント無線ベアラー情報メッセージ、或いはＭＢＭＳ一般情報メッセージにおけるＭＢＭＳシングル周波数網時間分割多重化情報リストシグナリングセル、即ちＭＢＳＦＮ  ＴＤＭ  Ｉｎｆｏ  Ｌｉｓｔにより、前記ユーザデバイスに送信されたものである。
【００２５】
ここで、複数のＭＢＭＳサービスに対しチャンネルリソースを時間分割多重化の場合、１つの時間分割多重化重複周期内において、伝送レートの高いＭＢＭＳサービスが占用するチャンネルリソースは、レートの低いサービスが占用するチャンネルリソースより大きいか或いは同じである。
【００２６】
前記課題を解決するために、本発明は、マルチメディアブロードキャスト・マルチキャストサービスＭＢＭＳにおける時間分割多重化情報の伝送方法を更に提供し、ネットワーク側は、ポイントーツーマルチポイントベアラー方式を利用し且つ時間分割多重化により、チャンネルリソースを共有してＭＢＭＳサービスを伝送する時に、ユーザデバイスに送信される前記ＭＢＭＳサービスの配置情報は、時間分割多重化重複周期情報と、１つの時間分割多重化周期内における占用するチャンネルリソースの位置情報と、１つの時間分割多重化周期内における占用するチャンネルリソースの数の情報とを含む。
【００２７】
ここで、前記ネットワーク側の無線ネットワークコントローラは、ＭＢＭＳポイントーツーマルチポイント制御チャンネルのチャンネル情報により、前記ＭＢＭＳサービスの配置情報をユーザデバイスに通知する。
【００２８】
ここで、前記ユーザデバイスは、前記配置情報を受信した後に、指示されたチャンネルリソースにおいて前記ＭＢＭＳサービスを受信する。
【００２９】
ここで、前記配置情報におけるリソース占用する数情報とリソース占用する位置情報の表現方式は、以下のいくつの方式のうちの１つであり、
前記占用リソース位置情報は、初期オフセット時間ＴＤＭ  Ｏｆｆｓｅｔで示され、前記リソース占用数情報は、時間分割多重化重複長さで示され、即ち、１つの時間分割多重化周期内において、１つのＭＢＭＳサービスが、ＴＤＭ  Ｏｆｆｓｅｔに対応する伝送時間間隔から、連続に占用するチャンネルリソースの伝送時間間隔数で示され、或いは、ＴＤＭ  Ｏｆｆｓｅｔに対応するシステムフレームから、連続に占用するチャンネルリソースのシステムフレーム数で示され、
前記占用するリソース位置情報と数情報は、１グループの時間分割多重化オフセットビットマップＴＤＭ  Ｏｆｆｓｅｔ  Ｂｉｔｍａｐで示され、前記ＴＤＭ  Ｏｆｆｓｅｔ  Ｂｉｔｍａｐの１つのビットは、１つの時間分割多重化重複周期内における１つの伝送時間間隔に対応し、当該ビットの値は、前記ＭＢＭＳサービスがそれに対応する伝送時間間隔を占用しているか否かを示し、当該ビットの前記ビットマップにおける位置は、それに対応する伝送時間間隔の重複周期内における初期オフセット時間ＴＤＭ  Ｏｆｆｓｅｔと１対１対応であり、
前記占用するリソース位置情報と数情報は、１つの時間分割多重化オフセットのリストで示され、当該リストは、１つ或いは複数の時間分割多重化オフセットのテーブルエントリを含み、前記ＭＢＭＳサービスは、１つの時間分割多重化重複周期内において、当該リストにおける全てのテーブルエントリなかの値に対応する伝送時間間隔を占用する。
【００３０】
従来の技術に比べると、本発明の前記方法によれば、従来のＭＢＭＳ  ＴＤＭ時間分割多重化方法を継承して利用する上で、リソース割当効率を改善し、リソース割当の柔軟性を向上させる。
【図面の簡単な説明】
【００３１】
【図１】図１は本発明の実施例のマルチメディアブロードキャスト・マルチキャストサービスＭＢＭＳ時間分割多重化の実現方法のフローチャートである。
【発明を実施するための形態】
【００３２】
従来の技術では、１つのＭＢＭＳサービスが１つのＴＤＭ  Ｒｅｐ内における連続に占用するチャンネルリソースの時間長さが定義されていないため、１つのサービスは、１つのＴＤＭ  Ｒｅｐ内において、定義されたＴＤＭ  Ｏｆｆｓｅｔからの１つのＴＴＩ時間のみを占用することができ、即ち、１つのｏｆｆｓｅｔを満たしているフレームのみを、当該サービスに割当てることができる。
【００３３】
２つのサービスレートの異なるサービスが同一のチャンネルリソースを時間分割多重化する場合、レートの高いサービスがより多いチャンネルリソースを占用する必要であり、レートの低いサービスが少ないチャンネルリソースを占用すればよいことは明らかである。しかし、前記方式によれば、２つのサービスには同じ時間分割多重化重複周期が配置された場合、２つのサービスは同じ数のチャンネルリソースしかを占用することができず、これは、レートの高いサービスに対して割当てられたリソースが不十分である可能性があり、レートの低いサービスに対して無駄な消耗が起こってしまう。一方、２つのサービスには異なる時間分割多重化周期が配置された場合、例えば、サービス１に配置されたＴＤＭ  Ｒｅｐは２、ＴＤＭ  Ｏｆｆｓｅｔは０であり、サービス２に配置されたＴＤＭ  Ｒｅｐは４、ＴＤＭ  Ｏｆｆｓｅｔは１である場合、サービス１が２分の１のチャンネルリソースを占用し、サービス２が４分の１のチャンネルリソースを占用し、他の４分の１のチャンネルリソースがフリーで占用されておらず、当該フリーなリソースは、従来のＴＤＭ割当メカニズムと方法の制限のために、サービス１或いはサービス２に割当てて利用することができず、チャンネルリソースの極大な無駄使いになってしまう。これに基づき、本発明は、従来の時間分割多重化メカニズムに対し改善を提案し、時間分割多重化リソースの効率と有効性を向上させる。
【００３４】
３Ｇシステムにおいて、ＭＢＭＳサービスはＰＴＭ送信方式を利用する時に、時間分割多重化により物理チャンネルリソースを共用し、更に、１つのＭＢＭＳサービスが１つのＴＤＭ  Ｒｅｐ内において占用するチャンネルリソースの数の情報を定義することにより、チャンネルリソースの効率的な割当を実現する。
【００３５】
以下は、いくつの実施例を合わせ、本発明について詳しく説明する。
【００３６】
第１の実施例
本実施例に係るＭＢＭＳサービスにおける時間分割多重化を実現する方法は、以下のステップを含む。
【００３７】
ステップ１１０：前記ＭＢＭＳサービスはポイントーツーマルチポイントベアラー方式を利用し、時間分割多重化によりチャンネルリソースを共有してサービスを伝送する時に、ネットワーク側は、ＭＢＭＳポイントーツーマルチポイント制御チャンネルのチャンネルメッセージにより、ＭＢＭＳサービスの配置情報をユーザデバイスに通知して、前記配置情報を満たしているチャンネルリソースにおいて、ＭＢＭＳサービスを送信し、配置情報は、時間分割多重化重複周期情報と、１つの時間分割多重化周期内における占用するチャンネルリソースの位置情報と、１つの時間分割多重化周期内におけると占用するチャンネルリソースの数の情報とを含む。
【００３８】
ステップ１２０：ユーザデバイスは、配置情報を受信した後、指示されたチャンネルリソースにおいてＭＢＭＳサービスを受信する。
【００３９】
ステップ１１０について、３Ｇシステムにおいて、時間分割多重化により物理チャンネルリソースを共有してＭＢＭＳサービスを送信する過程で、ネットワーク側のＲＮＣは、ＭＢＭＳサービス要求に応じて、前記配置情報に対する配置を完成して、これらの配置情報に基づきサービスに対してスケジューリングを行い、基地局に送信されたＦＰフレームにおいてＣＦＮ情報を運び、基地局はＣＦＮに基づき、送信された初期システムフレーム番号ＳＦＮを確定する。基地局のみが存在するが、ＲＮＣは存在していない場合（ＲＮＣと基地局とが１つになる場合）に、ＦＰフレームは存在しておらず、他の処理は全て同じである。
【００４０】
ＲＮＣは、ＭＣＣＨチャンネルにより、ＵＥに時間分割多重化配置情報を送信することができる。しかし、本発明では、具体的な送信チャンネルと送信エンティティを限定せず、これは、他のシステム例えばＬＴＥなどの進化システムにおいて、これらのチャンネルとエンティティ（ＮｏｄｅＢにより完成される）は変更する可能性があるが、本発明に係る方法の基本方案を同様に利用することができるからである。
【００４１】
ＭＢＭＳサービスはチャンネルリソースを時間分割多重化する時に、１つのＴＤＭ  Ｒｅｐ内において、伝送レートの高いＭＢＭＳサービスが占用するチャンネルリソースは、レートの低いサービスが占用するチャンネルリソースより多いか或いは同じである。他の実施例において、伝送レートの異なるＭＢＭＳサービスがチャンネルリソースを時間分割多重化するように、他の方針に従うこともできることは明らかである。
【００４２】
時間分割多重化配置情報に定義されたシグナリングセルはテーブル１に示すように、ＭＢＭＳ  Ｃｕｒｒｅｎｔ  Ｃｅｌｌ  ｐ−ｔ−ｍ  ｒｂ  Ｉｎｆｏｒｍａｔｉｏｎ（ＭＢＭＳ現在セルポイントツーマルチポイント無線ベアラー情報）メッセージのＭＢＳＦＮ  ＴＤＭ  Ｉｎｆｏ  Ｌｉｓｔ（ＭＢＭＳシングル周波数網時間分割多重化情報リスト）シグナリングセルにおいて、ＴＤＭ  Ｒｅｐ  Ｌｅｎｇｔｈ（時間分割多重化重複長さ）シグナリングセル（或いはパラメーターという）を増加する。
【００４３】
【表１】
2010529761.tif 000003
【００４４】
ここで、前記ＴＤＭ  Ｒｅｐ  Ｌｅｎｇｔｈシグナリングセルは、１つのＭＢＭＳサービスが１つのＴＤＭ  Ｒｅｐ内において連続に占用するチャンネルリソースの重複長さ情報を含むことが分かる。前記重複長さ情報は、１つのＭＢＭＳサービスが連続に占用するチャンネルリソースのＴＴＩ数であり、即ち、１つのＴＤＭ  Ｒｅｐ内において、１つのＭＢＭＳサービスが連続に占用する、ＴＤＭ  Ｏｆｆｓｅｔ個目のＴＴＩから、ＴＤＭ  Ｒｅｐ  Ｌｅｎｇｔｈシグナリングに定義された重複長さ個のＴＴＩ時間までのチャンネルリソースである。
【００４５】
前記重複長さ情報は、１つのＭＢＭＳサービスが連続に占用するチャンネルリソースのシステムフレーム（即ち無線フレーム）の数或いは他の同等な情報であってもよく、システムフレームの数はＮの整数倍である。例えば、Ｎは４である場合、システムフレームの数は４、８、１２…。
【００４６】
ＴＤＭ  Ｒｅｐ  Ｌｅｎｇｔｈシグナリングセルはオプショナルエントリであり、デフォルト状態で、１つのＴＤＭ  Ｒｅｐ内において、１つのＭＢＭＳサービスの占用するチャンネルリソースの時間は１つのＴＴＩである。
【００４７】
ＲＮＣは、前記配置情報を満たしているチャンネルリソースにおいて前記ＭＢＭＳサービスを伝送する時に、以下の式で、ＭＢＭＳサービスを、相応するシステムフレームにスケジューリングする。
【００４８】
（ＣＦＮ  ｄｉｖ  Ｎ）ｍｏｄ  ＴＤＭ＿Ｒｅｐ＝ＴＤＭ＿Ｏｆｆｓｅｔ＋ｉ，ｉ＝０  ｔｏ  ＴＤＭ＿Ｌｅｎｇｔｈ−１
ここで、
―Ｎは、ＭＢＭＳサービスをベアラーする伝送チャンネルの伝送時間間隔の長さであり、１０ｍｓフレームの数を単位とする。
【００４９】
―ＴＤＭ＿Ｒｅｐは、前記重複周期の長さ情報である。
【００５０】
―ＴＤＭ＿Ｏｆｆｓｅｔは、前記初期オフセット時間であり、即ち、前記ＭＢＭＳサービスが１つの重複周期内において占用するリソースの位置情報である。
【００５１】
―ＴＤＭ＿Ｌｅｎｇｔｈは、前記ＭＢＭＳサービスが１つの重複周期内において連続に占用する伝送時間間隔の数情報であり、即ち、前記ＭＢＭＳサービスが占用するチャンネルリソースの数情報である。
【００５２】
重複周期の異なるＭＢＭＳサービスは、１つの重複周期内におけるＴＴＩを多重化することもでき、両方に割当てられたＴＴＩが衝突しなければよい。
【００５３】
ステップ１２０について、相応的に、ユーザデバイスは、以下の式を満たしているＣＦＮ時刻で前記ＭＢＭＳサービスを受信する。
【００５４】
（ＣＦＮ  ｄｉｖ  Ｎ）ｍｏｄ  ＴＤＭ＿Ｒｅｐ＝ＴＤＭ＿Ｏｆｆｓｅｔ＋ｉ，ｉ＝０  ｔｏ  ＴＤＭ＿Ｌｅｎｇｔｈ−１
以下は、１つの応用例を利用して説明する。例えば、２つのＭＢＭＳサービスＡとＢがあり、物理チャンネルリソースを時間分割多重化により伝送を行う時に、ここで、サービスＡのレートはＭであり、サービスＢのレートはＭの２倍であり、サービスＡとＢが占用するチャンネルリソースの比は１：２である場合、最適なリソース割当効率を達成することができる。ＡとＢのＴＤＭ  Ｒｅｐを３とし、伝送チャンネルのＴＴＩを４０ｍｓとし、即ちＮ＝４である。本実施例によれば、ここで、ＴＤＭ  Ｌｅｎｇｔｈの値は、１つのＭＢＭＳサービスが連続に占用するチャンネルリソースのＴＴＩ数であり、サービスＡに対し、そのＴＤＭ  Ｏｆｆｓｅｔ＝０、ＴＤＭ  Ｌｅｎｇｔｈ＝１と設置し、サービスＢに対し、そのＴＤＭ  Ｏｆｆｓｅｔ＝１、ＴＤＭ  Ｌｅｎｇｔｈ＝２と設置する、送信の時に、１つのＴＤＭ  Ｒｅｐ内において、サービスＡが占用するチャンネルリソースは、１つ目のＴＴＩ時間内におけるすべてのシステムフレームであり、サービスＢが占用するチャンネルリソースは、２つ、３つ目のＴＴＩ時間内におけるすべてのシステムフレームである。
【００５５】
第２の実施例
本実施例に係る方法のステップと前の実施例とは類似するため、ここで重複の説明は省略するが、具体的な実施上にはいくつの相違点がある。本実施例では、ＲＮＣはＭＢＭＳのサービス要求に応じて、ＭＢＭＳ  Ｃｕｒｒｅｎｔ  Ｃｅｌｌ    ｒｂ  ＩｎｆｏｒｍａｔｉｏｎメッセージのＭＢＳＦＮ  ＴＤＭ  Ｉｎｆｏ  Ｌｉｓｔシグナリングセルにおける時間分割多重化配置情報において、１グループのＴＤＭ  Ｏｆｆｓｅｔシグナリングセルを増加する。
【００５６】
前記ＴＤＭ  Ｏｆｆｓｅｔシグナリングセルは、１つのＴＤＭ  Ｒｅｐ内において、１つのＭＢＭＳサービスが占用するチャンネルリソースの数及び位置情報を示す。即ち、１つのＴＤＭ  Ｒｅｐ内において、１つのＭＢＭＳサービスが、ＴＤＭ  Ｏｆｆｓｅｔシグナリングセルに定義された時間内に占用するチャンネルリソースである。
【００５７】
前記ＴＤＭ  ｏｆｆｓｅｔシグナリングセルは、１グループのＴＤＭ  Ｏｆｆｓｅｔ  Ｂｉｔｍａｐ（時間分割多重化オフセットビットマップ）シグナリングセルに定義され、配置情報に定義されたシグナリングセルはテーブル２に示す。
【００５８】
【表２】
2010529761.tif 000004
【００５９】
ここで、当該シグナリングのビット毎は、重複周期内における１つのＴＤＭ  Ｏｆｆｓｅｔの値を示し、１つのＭＢＭＳサービスのＴＤＭ  Ｏｆｆｓｅｔ  Ｂｉｔｍａｐのｉ位目の値は１と設置された場合（０と設置されてもよく、効果は同じである）、無線リソース制御エンティティは、１つのＴＤＭ  Ｒｅｐ内において、式（１）を満たしている全てのＴＴＩ時間の全てのＣＦＮ内に当該ＭＢＭＳサービスを送信する。ユーザデバイスも、これらのＣＦＮ内に当該ＭＢＭＳサービスを受信する。
【００６０】
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、ＴＤＭ＿Ｏｆｆｓｅｔ，ｉは、１つの重複周期内における前記ＭＢＭＳサービスが占用するｉ個目のＴＴＩのオフセット値であり、ｉの値は、ＴＤＭ  Ｏｆｆｓｅｔ  Ｂｉｔｍａｐにおいて１（或いは占用状態を示すほかの値）と設置されたビット位の位置で決められる。
【００６１】
ここも、１つの応用例を利用して説明する。例えば、２つのＭＢＭＳサービスＡとＢがあり、物理チャンネルリソースを時間分割多重化により伝送を行う時に、ここで、サービスＡのレートはＭであり、サービスＢのレートはＭの２倍であり、サービスＡとＢが占用するチャンネルリソースの比は１：２である場合、最適なリソース割当効率を達成することができる。ＴＤＭ  Ｒｅｐを３とし、システムフレームを１０ｍｓフレームとし、伝送チャンネルのＴＴＩを４０ｍｓとし、即ちＮ＝４である。
【００６２】
本実施例によれば、ＴＤＭ  Ｏｆｆｓｅｔ Ｂｉｔｍａｐを定義すると、サービスＡに対し、そのＴＤＭ  Ｏｆｆｓｅｔ  Ｂｉｔｍａｐを二進法値０００００００１０とし、即ち当該シグナリングセルの２個目のビットを１と設置し、他のビットを０と設置し、サービスＢに対し、そのＴＤＭ  Ｏｆｆｓｅｔ  Ｂｉｔｍａｐを二進法値００００００１０１とし、即ち当該シグナリングセルの１，３個目のビットを１と設置し、他のビットを０と設置する。この９位における有効位例えば３位は、ユーザデバイスとネットワーク側により約束しておく。そして、１つのＴＤＭ  Ｒｅｐ内において、サービスＡが占用するチャンネルリソースは、２つ目のＴＴＩ時間内におけるすべての１０ｍｓフレームであり、サービスＢが占用するチャンネルリソースは、１つ、３つ目のＴＴＩ時間内におけるすべての１０ｍｓフレームである。
【００６３】
他の実施例では、前記ＴＤＭ  ｏｆｆｓｅｔシグナリングは、１つのＴＤＭ  Ｏｆｆｓｅｔのリストとして定義されてもよく、例えばテーブル３に示すように、ＴＤＭ  Ｏｆｆｓｅｔ  Ｌｉｓｔ（時間分割多重化オフセットリスト）シグナリングセルを定義し、当該シグナリングセルは、１つ或いは複数のテーブルエントリＴＤＭ＿Ｏｆｆｓｅｔを含み、その値は整数型であり、１つのＴＤＭ＿Ｒｅｐにおいて占用するリソースが位置する１つ或いは複数のＴＴＩの位置を示す。
【００６４】
【表３】
2010529761.tif 000005
【００６５】
１つのＭＢＭＳサービスは、１つのＴＤＭ  Ｒｅｐ内における、以下の式を満たしている全てのＴＴＩ時間の全てのＣＦＮ内において、チャンネルリソースを占用する。ネットワーク側は、これらのチャンネルリソースにおいて当該ＭＢＭＳサービスを送信し、ユーザデバイスも、これらのチャンネルリソースにおいてＭＢＭＳサービスを受信することを含む。
【００６６】
（ＣＦＮ  ｄｉｖ  Ｎ）ｍｏｄ  ＴＤＭ＿Ｒｅｐ＝ＴＤＭ＿Ｏｆｆｓｅｔ，ｉ
ここで、ＴＤＭ＿Ｏｆｆｓｅｔ，ｉは、当該サービスのＴＤＭ  Ｏｆｆｓｅｔ  Ｌｉｓｔ時間分割多重化オフセットリストおけるｉ個目のテーブルエントリの値であり、値の範囲はテーブル３に示す。
【００６７】
ここも、１つの応用例を利用して説明する。例えば、２つのＭＢＭＳサービスＡとＢがあり、物理チャンネルリソースを時間分割多重化により伝送を行う時に、サービスＡのレートはＭであり、サービスＢのレートはＭの２倍である。サービスＡとＢが占用するチャンネルリソースの比は１：２である場合、最適なリソース割当効率を達成することができる。ＴＤＭ  Ｒｅｐを３とし、システムフレームを１０ｍｓフレームとし、伝送チャンネルのＴＴＩを４０ｍｓとし、即ちＮ＝４である。
【００６８】
ＴＤＭ  Ｏｆｆｓｅｔシグナリングセルは１つのＴＤＭ  Ｏｆｆｓｅｔのリストである場合、サービスＡに対し、そのＴＤＭ  Ｏｆｆｓｅｔ  Ｌｉｓｔを、値が２である１つのテーブルエントリを含むと設置し、サービスＢに対し、そのＴＤＭ  Ｏｆｆｓｅｔ  Ｌｉｓｔを、値がそれぞれ１、３である２つのテーブルエントリを含むと設置する。そして、１つのＴＤＭ  Ｒｅｐ内において、サービスＡが占用するチャンネルリソースは、２つ目のＴＴＩ時間内におけるすべての１０ｍｓフレームであり、サービスＢが占用するチャンネルリソースは、１つ、３つ目のＴＴＩ時間内におけるすべての１０ｍｓフレームである。
【図１】
2010529761.tif 000006
【国際調査報告】
2010529761.tif 000007
2010529761.tif 000008
2010529761.tif 000009
2010529761.tif 000010